【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
送電線において事故が発生した際に、該事故により健全な電力系統に影響が及ばないようにするため、当該事故を検出して事故箇所の切離しを指示するトリップ指令出力信号を出力するメインリレーを備えた送電線保護継電装置において、
予め取込まれている電気量又は合成電気量の変動から半サイクル程度の時間で、かつ、前記メインリレーよりも速く動作及び復旧するリレーを備えて、送電線に発生した事故が半サイクル程度で復旧した場合には、これを検出して瞬時復旧信号を出力する瞬時復旧検出手段と、
前記メインリレーから出力される信号であるメインリレー信号と前記瞬時復旧信号とに基づいて、該瞬時復旧信号が事故の復旧を示す内容の信号の場合には前記メインリレー信号に基づき前記トリップ指令出力信号が出力されないように当該メインリレー信号をロックするロック手段とを備えたことを特徴とする送電線保護継電装置。
【請求項２】
前記瞬時復旧検出手段が、予め取込まれている電気量又は合成電気量の変化幅に基づき事故の発生を前記メインリレーよりも高速に検出する変化分検出リレーと、
前記電気量又は合成電気量の瞬時値に基づき事故の発生を前記メインリレーよりも高速に検出する瞬時値比較リレーと、
前記変化分検出リレーからの信号が所定時間遅延して入力すると共に、前記瞬時値比較リレーからの信号がレベル反転して入力し、これら入力した信号のアンド論理を行い、その論理結果を前記瞬時復旧信号として出力する瞬時復旧判断手段とを備えることを特徴とする請求項１記載の送電線保護継電装置。
【請求項３】
前記ロック手段に、前記変化分検出リレーからの信号が直接入力して、当該変化分検出リレーからの信号に基づき、前記トリップ指令出力信号の出力をロック又はアンロックできるようにしたことを特徴とする請求項１又は２記載の送電線保護継電装置。
【請求項４】
前記瞬時復旧判断手段が、前記変化分検出リレーからの信号が入力し、かつ、前記瞬時値比較リレーからの信号が所定時間遅延すると共に、当該遅延した信号が所定時間継続して入力して、これらの信号によりフリップフロップ動作して、その出力を前記瞬時復旧信号として出力するフリップフロップにより形成されていることを特徴とする請求項２又は３記載の送電線保護継電装置。
【請求項５】
前記ロック手段が、前記メインリレーからのメインリレー信号と前記瞬時復旧検出手段からの瞬時復旧信号とが入力して、これらのアンド論理を行い、その結果に基づき前記メインリレー信号に基づく前記トリップ指令出力信号のロック又はアンロックを行うアンド素子と、
前記メインリレーが送電線で事故の発生を検出してから予め設定された時間を計時し、当該時間の計時後にも前記変化分検出リレーが事故の発生を検出している場合には、該変化分検出リレーが故障しているものとして前記メインリレーからのメインリレー信号を出力するオンディレータイマと、
前記アンド素子からの信号及び前記オンディレータイマからの信号が入力して、これらのオア論理を行い、その結果を前記トリップ指令出力信号として出力するオア素子とを備えることを特徴とする請求項１乃至４いずれか１項記載の送電線保護継電装置。
【手続補正２】
【補正対象書類名】明細書
【補正対象項目名】０００８
【補正方法】変更
【補正の内容】
【０００８】
【課題を解決するための手段】
上記課題を解決するため、請求項１にかかる発明は、送電線において事故が発生した際に、該事故により健全な電力系統に影響が及ばないようにするため、当該事故を検出して事故箇所の切離しを指示するトリップ指令出力信号を出力するメインリレーを備えた送電線保護継電装置において、予め取込まれている電気量又は合成電気量の変動から半サイクル程度の時間で、かつ、メインリレーよりも速く動作及び復旧するリレーを備えて、送電線に発生した事故が半サイクル程度で復旧した場合には、これを検出して瞬時復旧信号を出力する瞬時復旧検出手段と、メインリレーから出力される信号であるメインリレー信号と瞬時復旧信号とが入力して、該瞬時復旧信号が事故の復旧を示す内容の信号の場合にはメインリレー信号に基づきトリップ指令出力信号が出力されないように当該メインリレー信号をロックするロック手段とを備え、半サイクル程度で事故が復旧したような場合に、事故箇所の切離し等のトリップ動作をしないようにして、信頼性を向上させたことを特徴とする。
【手続補正３】
【補正対象書類名】明細書
【補正対象項目名】００１８
【補正方法】変更
【補正の内容】
【００１８】
本実施の形態においては、このメイン回路２にアクティブホーンにより半サイクル程度で事故復旧された場合には、当該メイン回路２が事故の発生を検出してもトリップ指令出力信号が出力されないようにするトリップ指令不要出力防止機能を持たせている。
【手続補正４】
【補正対象書類名】明細書
【補正対象項目名】００１９
【補正方法】変更
【補正の内容】
【００１９】
このようなメイン回路２は、従来と同様の構成のメインリレー１１、送電線において事故が発生した際には、予め取込まれている電気量又は合成電気量の変動から半サイクル程度の時間で、かつ、メインリレー１１よりも速く動作及び復旧するリレーを備えて、当該事故が半サイクル程度で復旧した場合には瞬時復旧信号Ｓ４，Ｓ５を出力する瞬時復旧検出手段１２、メインリレー１１からのメインリレー信号Ｓ２と瞬時復旧検出手段１２からの瞬時復旧信号Ｓ４，Ｓ５とが入力して、該瞬時復旧信号Ｓ４，Ｓ５が事故の復旧を示す内容の信号の場合にはメインリレー信号Ｓ２に基づくトリップ指令出力信号が出力されないように当該メインリレー信号Ｓ２をロックするロック手段１３を有している。
【手続補正５】
【補正対象書類名】明細書
【補正対象項目名】００２２
【補正方法】変更
【補正の内容】
【００２２】
なお、電気量又は合成電気量として電流や電圧が例示でき、アクティブホーンにより復旧するような事故として雷撃が例示でき、以下の説明では雷撃による事故が発生し、その電流の挙動からこれを検出する場合を例に説明する。
【手続補正６】
【補正対象書類名】明細書
【補正対象項目名】００２９
【補正方法】変更
【補正の内容】
【００２９】
なお、アクティブホーンにより事故が復旧すると、これに伴い事故発生により急増した電流は正常値に戻るが、変化分検出リレー１５は電流の変化幅を検出して事故の発生とするため、電流が異常値から正常値に戻る際にも、所定の変化幅の電流変化を検出することになり、このときも事故発生と判断して「ＯＮ」信号を出力することになる。
【手続補正７】
【補正対象書類名】明細書
【補正対象項目名】００３０
【補正方法】変更
【補正の内容】
【００３０】
ところが、メインリレー１１は動作速度が遅いので、事故が復旧してもこれに追随できず、まだ「ＯＮ」信号を出力を継続している時間帯が発生する。
【手続補正８】
【補正対象書類名】明細書
【補正対象項目名】００３２
【補正方法】変更
【補正の内容】
【００３２】
そこで、本実施の形態では、事故復旧後にトリップ指令が出力されないように、瞬時値比較リレー１６やアンド素子１９等を設けて、当該アンド素子１９からの瞬時復旧信号Ｓ５もアンド素子２３に入力するようにしている。
【手続補正９】
【補正対象書類名】明細書
【補正対象項目名】００４５
【補正方法】変更
【補正の内容】
【００４５】
このように、送電線にて発生した半サイクル程度の復旧事故に対し、変化分検出リレー１５と瞬時値比較リレー１６を組合わせる事により、復旧事故時にトリップ指令をロックして、送電線を不要に切離すような事態の発生が防止できるようになり信頼性が向上する。
【手続補正１０】
【補正対象書類名】明細書
【補正対象項目名】００５３
【補正方法】変更
【補正の内容】
【００５３】
そして、送電線にて半サイクル程度の復旧事故が発生した場合、変化分検出リレー１５が動作して「ＯＮ」信号がフリップフロップ２８に入力される。
【手続補正１１】
【補正対象書類名】明細書
【補正対象項目名】００６４
【補正方法】変更
【補正の内容】
【００６４】
【発明の効果】
以上説明したように、本発明によれば、送電線において事故が発生した際には、予め取込まれている電気量又は合成電気量の変動から半サイクル程度の時間で、かつ、メインリレーよりも速く動作及び復旧するリレーを備えて、当該事故が半サイクル程度で復旧した場合には瞬時復旧信号を出力する瞬時復旧検出手段と、メインリレーからのメインリレー信号と瞬時復旧検出手段からの瞬時復旧信号とが入力して、該瞬時復旧信号が有効信号の場合にはメインリレー信号に基づくトリップ指令出力信号が出力されないように当該メインリレー信号をロックするロック手段とを備えて、半サイクル程度で事故が復旧したような場合に、送電線保護装置が遮断器の開放等の不要動作をしないようにしたので信頼性が向上する。